(57)【要約】無線通信システム（１０）において、接続端末（１６）でデータ・サービス停止の間データ伝送を禁止する方法及び装置。接続端末（１６）は停止の前に接続網（１２）に停止指示信号を送信する。データ・サービス停止はシステムの音声部分のページ監視、或いは接続端末（ＡＴ）がデータを受信するために利用できない間における周波数探知によっている。接続網（１２）は停止の間はデータを送信しない。一実施例では、指示信号はＤＲのゼロ・カバーである。別の実施例では、指示信号はゼロ・データ率を有するＤＲである。【選択図】図８
2004532542.tif 000002
【特許請求の範囲】
【請求項１】
プロセッサ；及び
複数のコンピュータ可読命令に基づいて動作するプロセッサに接続されたメモリ
を含み、コンピュータ可読命令は：
停止の前にデータ・パケットを送信するために十分な時間スロットが利用可能かどうかを決定するために動作するコンピュータ可読命令の第一の集合；及び
十分な時間スロットが利用可能でなければデータ・パケットの送信を禁止する停止指示信号を生成するために動作するコンピュータ可読命令の第二の集合を含む、
無線データ通信システムにおいて動作する無線装置。
【請求項２】
停止指示信号がデータ率制御のゼロ・カバーである、請求項１の装置。
【請求項３】
停止指示信号がゼロ・データ率を有するデータ率制御である、請求項１の装置。
【請求項４】
停止指示信号が装置におけるデータ・サービスの予期される停止と関連する、請求項１の装置。
【請求項５】
予期される停止がページ監視によるものである、請求項４の装置。
【請求項６】
予期される停止が周波数探知によるものである、請求項４の装置。
【請求項７】
データ通信が可能である無線通信システムにおいて、
データ・サービス停止を決定すること；及び
停止の間データ伝送を禁止するためにデータ停止指示信号を送信することを含む方法。
【請求項８】
データ停止が周波数探知によるものである、請求項７の方法。
【請求項９】
データ停止指示信号がデータ率制御メッセージである、請求項７の方法。
【請求項１０】
データ率制御メッセージがゼロ・データ率である、請求項９の方法。
【請求項１１】
データ率制御メッセージがゼロ・セクタを指示する、請求項９の方法。
【請求項１２】
データ・サービス停止の時間を決定することをさらに含む、請求項７の方法。
【請求項１３】
データ伝送を受信するために第一の時間期間を決定することをさらに含む、請求項１２の方法。
【請求項１４】
第一のキャリアのためのデータ停止を決定する時間計算手段；及び
データ停止の間第一のキャリア上でのデータの送信を禁止する停止指示手段を含む、
多数キャリア無線通信システムにおいて動作する無線装置。
【請求項１５】
第一のデータ伝送がデータ停止の前に完了するかどうかを決定するデータ計算手段をさらに含む、請求項１４の無線装置。
【発明の詳細な説明】
【技術分野】
【０００１】
本発明は一般に通信に関するもので、特に通信システムにおけるデータ率制御のための方法及び装置に関する。
【背景技術】
【０００２】
無線データ伝送に対する需要の増加と無線通信技術を介して利用可能なサービスの拡大は特定のデータ・サービスの発展を導いた。そのようなサービスの一つは高データ率（ＨＤＲ）サービスと呼ばれる。典型的なＨＤＲサービスは、「ＨＤＲ仕様」として引用される「ＥＩＡ／ＴＩＡ−ＩＳ８５６  ｃｄｍａ２０００高率パケット・データ空中インターフェイス仕様（cdma2000 High Rate Packet Data Air Interface Specification）」において提案されている。
【発明の開示】
【発明が解決しようとする課題】
【０００３】
ＨＤＲサービスは一般に無線通信システムにおいてデータ・パッケットを送信する効率のよい方法を提供する音声通信システムに対するオーバーレイである。伝送データ量及び伝送数が増加するにつれて、無線伝送に利用可能な限られた帯域幅は重要な資源になる。従って、利用可能な帯域幅の使用を最適化する通信システムにおいて、情報を伝送する効率的で、且つ正確な方法が必要とされる。
【課題を解決するための手段】
【０００４】
一形態によると、無線データ通信システムにおいて動作する無線装置はプロセッサとメモリを含む。メモリはプロセッサに接続される。プロセッサは複数のコンピュータ可読命令で動作する。その命令は、十分な時間スロットが停止の前にデータ・パケットを伝送するのに利用可能であるかどうかを決定するように動作するコンピュータ可読命令の第一の集合と、十分な時間スロットが停止の前にデータ・パケットを受信するのに利用可能でないときデータ・パケットの伝送を禁止する停止指示信号を生成するように動作するコンピュータ可読命令の第二の集合を含む。
【０００５】
別の形態によると、データ通信が可能な無線通信システムにおいて、その方法はデータ・サービス停止を決定し、停止の間にデータ伝送を禁止するようにデータ停止指示信号を送信する。
【発明を実施するための最良の形態】
【０００６】
図１は空中インタフェース１４を介して接続端末（Access Terminal：ＡＴ）１６と通信する接続網（Access Network：ＡＮ）１２を有する通信システム１０のアーキテクチャ参照モデルを図示する。
一実施例では、システム１０は「ＨＤＲ仕様」として引用される「ＴＩＡ／ＥＩＡ／ＩＳ−８５６  ｃｄｍａ２０００  高率パケット・データ空中インターフェイス仕様（cdma2000 High Rate Packet Data Air Interface Specification）」で指定されるような高データ率（ＨＤＲ）オーバーレイ・システムを有する符号分割多重接続（Code Division Multiple Access：ＣＤＭＡ） システムである。ＡＮ１２は空中インターフェイス１４を通して、システム１０（図示されてない）内の他のＡＴと同様に、ＡＴ１６と通信する。ＡＮ１２は多数のセクタを含み、各セクタは少なくとも１チャンネル（Channel）を提供する。チャンネルは所定の周波数割当内でＡＮ１２とＡＴとの間の伝送のための通信回線の集合として定義される。チャンネルはＡＮ１２からＡＴ１６への順方向回線（Forward Link：ＦＬ）とＡＴ１６からＡＮ１２への逆方向回線（Reverse Link ：ＲＬ）から成る。
【０００７】
図２及び図３はＡＮ１２とＡＴ１６のＨＤＲ動作をそれぞれ図示する。ＡＮ１２及びＡＴ１６は信号処理モジュールの他にプロセッサと少なくとも一個の記憶デバイス（メモリ）を各々含む。プロセッサは中央制御ユニット（ＣＰＵ）、もしくは専用のコントローラである。記憶デバイスは無線システム１０内で通信を制御するためのコンピュータ可読命令及び／または手順（ルーチン）を記憶する。ＡＮ１２内で、記憶デバイスはデータ伝送を制御する命令を記憶する。ＡＴ１６内で、記憶デバイスはデータ要求を含め、データ伝送を制御する命令を記憶する。
【０００８】
図２はＡＴ１６に関するＡＮ１２のデータ伝送状態、即ちＨＤＲ状態に関する状態図４０を図示する。一般に、ＡＮ１２の状態はＡＴ１６のような特定のＡＴに適用されて、ＡＮ１２においてプロトコル・エンジンの状態を参照する。ＡＮ１２は多数のＡＴと通信するので、プロトコルの多数の個々の例示が、それ自身の個々の状態マシンと共に各々ＡＴ１２に存在する。状態図４０は二つの状態：動作可能（ＥＮＡＢＬＥ）及び動作不能（ＤＩＳＡＢＬＥ）を含み、ここで各状態はＡＴ１２へのデータ伝送に参照符号を付ける。ＥＮＡＢＬＥ状態４２では、ＡＮ１２はＡＴ１６からデータ伝送の要求を受信し、そしてあらゆる未決定のデータ伝送をＡＴ１６へ送信するように構成される。ＤＩＳＡＢＬＥ状態４３では、ＡＮ１２はＡＴ１６への未決定のデータ伝送の送信を中止する。
【０００９】
データ伝送について、ＡＮ１２はＡＴ１６からのデータ要求を受信する。データ要求はデータが送信されるデータ率、送信されるデータ・パッケージの長さ、及びデータが送信されるセクタを指定する。ＡＴ１６はＡＮ１２とＡＴ１６との間のチャンネルの品質に基づいてデータ率を決定する。一実施例では、チャンネルの品質はキャリア（搬送波）対干渉（雑音）比Ｃ／Ｉによって決定される。別の実施例はチャンネルの品質に対応する他の測定基準を使用する。ＡＴ１６はデータ率制御（Data Rate Control：ＤＲＣ）メッセージをＤＲＣチャンネルという特定のチャネルを経由して送信することによってデータ伝送についての要求を行う。ＤＲＣメッセージはデータ率部分及びセクタ部分を含む。データ率部分はデータを送信するために要求されるデータ率を示し、 セクタ部分はＡＮ１２がそこからデータを送信するセクタを示す。データ率とセクタ情報の双方はデータ伝送を処理するのに必要である。データ率部分はＤＲＣ値といわれ、セクタ部分はＤＲＣカバーと云われる。ＤＲＣ値は空中インターフェイス１４経由でＡＮ１２に送信されるメッセージである。一実施例では、各ＤＲＣ値は所定のＤＲＣ値割当に従って関連するパケット長を有するキロビット／秒のデータ率に対応する。割当はゼロ（ｎｕｌｌ）のデータ率を指定するＤＲＣ値を含む。実際、ゼロ・データ率はＡＴ１６がデータを受信できないことをＡＮ１２に指示する。例えば、 一つの状況においては、チャンネルの品質はＡＴ１６が正確にデータを受信するためには不十分である。
【００１０】
動作中、ＡＴ１６が次のデータ・パケット送信を受信できるデータ率を計算するためにチャンネルの品質をＡＴ１６は連続して監視する。ＡＴ１６はそれから対応するＤＲＣ値を生成し、ＤＲＣ値はデータ伝送を要求するためにＡＮ１２に伝送される。一般にデータ伝送はパケットに分割されることに留意すべきである。データ・パケットを送信するために必要な時間は適用されるデータ率の関数である。
【００１１】
一実施例では、ＡＴ１６はＤＲＣカバーでＤＲＣ値を包む。ＤＲＣカバーはデータがそこから送信されるセクタを識別するために適用される符号化（コーディング）である。一実施例では、ＤＲＣカバーはＤＲＣ値に適用されるウォルシュ符号であり、ここでは唯一つの符号がＡＴ１６の稼働集合（Active Set）中の各セクタに対応する。稼働集合（ＡＳ）はこれらのセクタから成り、それによってＡＴ１６は情報を現実に送信し、且つ受信している。この実施例によれば、少なくとも一つのウォルシュ符号はＡＳ中のどのセクタにも対応しないゼロ・カバーとして指定される。ＤＲＣ値はデータ率を指定し、ＤＲＣカバーは送信セクタを識別するので、ＤＲＣ値及びＤＲＣカバーは完全なデータ要求を提供する。別の実施例は送信セクタを識別する別のカバーまたは方法を使用する。また他の実施例はＤＲＣ値中にセクタ識別を含む。
【００１２】
図２を続けると、ＡＮ１２はゼロ・データ率に対応するＤＲＣ値の受信の際、またはゼロ・カバーを有するＤＲＣ値の受信の際、ＥＮＡＢＬＥ状態４２からＤＩＳＡＢＬＥ状態４３へ移行する。ＤＩＳＡＢＬＥ状態４３へ移行の際、ＡＮ１２はＡＴ１６へのあらゆる未決定のデータ伝送を処理しない。ＤＩＳＡＢＬＥ状態４３から、ＡＮ１２はゼロ率以外のデータ率、即ち有効な非ゼロ・データ率を指定するＤＲＣ値の受信の際、ＥＮＡＢＬＥ状態４２に移行する。同様に、ＡＮ１２は有効なセクタ、即ちＡＴ１６の稼働集合中のセクタを指定するＤＲＣカバーを有するＤＲＣ値の受信の際、ＥＮＡＢＬＥ状態４２に移行する。ＥＮＡＢＬＥ状態４２では、ＡＮ１２はＡＴ１６への未決定のデータ伝送を処理する。特に、ＡＮ１２はＤＲＣ値において指定された率に従って、及びＤＲＣカバーによって指定されたセクタから次のデータ伝送を処理する。
【００１３】
図３はＥＮＡＢＬＥ状態４４とＤＩＳＡＢＬＥ状態４６との間の移行を示し、ＡＴ１６の動作についての状態図４１を図示する。ＥＮＡＢＬＥ状態４４では、ＡＴ１６はＡＮ１２からデータを要求し、ＡＮ１２からのデータ伝送を処理する。ＤＩＳＡＢＬＥ状態４６では、ＡＴ１６はＡＮ１２からデータを要求しない。所定のデータ伝送またはメッセージについて利用可能な時間スロットが不十分なとき、ＡＴ１６はＤＩＳＡＢＬＥ状態４６に入る。利用可能な時間スロットの数の決定、即ちデータ伝送のために許される時間の量は、ＤＲＣ開始時間、ＤＲＣの長さ、送信を指定するＤＲＣ値、及び転換時間を含めて、幾つかの条件の関数である。ＡＴ１６がデータ伝送を受信するために利用可能な時間はＤＲＣ開始時間から計測され、ＤＲＣ及び転換時間の長さに亘って続く。例えば、図５に関しては、ＤＲＣ開始時間は時間ｔ０である。
【００１４】
図５に図示されたように、ＡＴ１６がデータ伝送を受信するのに利用可能な時間は時間ｔ１０より前の時間であり、実際上、時間ｔ０からｔ１０までの長さがある。図示されたように、ＤＲＣは多数の時間スロットに亘る長さを有する。この場合には、ＤＲＣ（ｉ）は４個の時間スロットから成り、ここではＤＲＣ長は４個の時間スロット：ｔ０からｔ１；ｔ１からｔ２；ｔ２からｔ３；及びｔ３からｔ４を含み、時間ｔ０からｔ４までの長さがある。転換時間は時間ｔ４からｔ５までである。転換時間の後、データ伝送が開始できる４個の時間スロットは利用可能である。ＤＲＣ窓長はＤＲＣ長に等しいので、従ってＤＲＣ窓長は送信されたＤＲＣと同じ数の時間スロットを含む。云い換えれば、ＤＲＣ長はＤＲＣ窓長に等しい。特に、図５に示されたように、ＤＲＣ（ｉ）の長さはＤＲＣ（ｉ）窓の長さに等しい。ＤＲＣ開始時間、ＤＲＣ長、及び転換時間に加えて、利用可能な時間は送信が完了可能な最終の時間に基づいて計算される。データ伝送はＤＲＣ（ｉ）窓の４個のどの時間スロットでも始まるので、最終の可能な送信完了は時間ｔ８で開始し、時間ｔ１０で終了する。従って、可能な最終の送信は利用可能な時間の計算に使用される。ＤＲＣ窓の各時間スロットから行われる送信を有することが可能で、この場合、合計四つの可能な送信があることに留意すべきである。 しかしながら、四つの送信のいずれも時間ｔ８で開始する送信より遅く終了することはない。
【００１５】
図３に戻って、実際、ＤＩＳＡＢＬＥ状態ではＡＴ１６はそれ以上のいかなるＨＤＲ送信も要求しない。ＡＴ１６は別の周波数に同調をずらすためにＤＩＳＡＢＬＥ状態に移行し、従って、データ送信周波数は受信には利用できない。ＡＴ１６は一般にＤＩＳＡＢＬＥ状態への移行の前に要求されたデータを処理している。同様に、ＡＴ１６はそのような受信されたデータを後の処理のために記憶デバイスに記憶している。幾つかのデータが後の処理のために記憶され、さらに他のデータが処理されていることは可能である。ＡＴ１６がＤＩＳＡＢＬＥ状態４６にある間はデータ伝送を要求しない一方で、ＡＴ１６はＤＩＳＡＢＬＥ状態４６への移行の前に受信されたデータを処理し続け、利用可能な時間内にメッセージを受信することができる。このように、ＡＴ１６が同調ずれの時間の前に、あらゆる未決定のメッセージが終了すれば、そのメッセージはＡＮ１２から送信され、ＡＴ１６によって受信される。一実施例では、ＡＴ１６はＤＩＳＡＢＬＥ状態４６にある間音声送信を処理できる。
【００１６】
音声及びデータに対応するシステムのような多数キャリア無線通信システムは異なるサービス及び／またはセクタのために異なるキャリア（搬送）周波数を組込む。例えば、一実施例では、無線ＨＤＲシステムはセクタごとに異なる周波数を組込む。他のシステムは、短メッセージ・サービス（ＳＭＳ）、ファクシミリサービス等のような異なるキャリア周波数を使うサービスを含む。多数キャリア・システムでは、異なる周波数を周期的または事象の一度発生のいずれかで探知することがＡＴについて必要である。ＡＴが異なる周波数を探知するときはいつでも、ＡＴは同調をずらす。ＨＤＲシステムでは、ＡＴは他のセクタを探知するために同調をずらす。
【００１７】
動作中に、ＡＴ１６はチャネルの品質に基づいてデータ率を決定する。データ率に基づいて、ＡＴ１６は次のデータ・パッケージを送信するのに必要な時間を計算することができる。時間は時間スロットとして測定され、ここで各スロットは所定の時間期間である。ＨＤＲシステムでは、ＡＴ１６は音声とデータ通信の双方を受信できる。これを可能にするために、ＡＴ１６はシステムのデータ及び音声部分の間で切換える。ＡＴ１６がシステムの音声部分に切替わると、データ部分はＡＴ１６の中で一時的停止を有する。特に、ＡＴ１６は音声通信の要求についてページング・チャネルを周期的に監視する。
【００１８】
ＡＮ１２からのデータ伝送を処理することに加えて、ＡＮ１２からのデータ伝送はまた音声伝送を処理する。音声伝送はＡＮ１２から、或いはシステム１０内の別のＡＮから受信できる。音声伝送を処理するために、ＡＴ１６は音声呼出が未決定であることを示す音声システム・ページについて定期的に調べる。音声システムがＳＭＳのような他のサービスを含み、また内部周波数の探知を実行することに留意すべきである。ＨＤＲ及び音声伝送はそれぞれ異なる周波数上で処理される。ページについて調べるために、ＡＴ１６はＨＤＲ周波数と異なる特定の周波数を監視する。ページの検査はＨＤＲ周波数に関する実際の停止をもたらす。停止の間に送信されるあらゆるデータ・パケットの見逃しを回避するために、ＡＴ１６は各停止が予定されるときを決定する。所定のデータ伝送が予定の停止を終了することができれば、ＡＴ１６は有効なデータ率及び有効なセクタを有するＤＲＣの形式で要求を送信する。云い換えれば、ＡＴ１６は所定のデータ伝送またはデータ・パケットを送信及び受信するために必要な時間スロットの数Ｎを予定の停止の前の時間スロットの数Ｍと比較する。ＮがＭより小さいか等しければ、データ伝送は進行する。予定の停止の前にデータ伝送を処理する時間が不十分であれば、即ちＮがＭより大きければ、ＡＴ１６は次のデータ伝送を送信しないようにＡＮ１２に指示するメッセージを提供する。一実施例では、このメッセージはゼロ・データ率またはゼロ・カバーを有するＤＲＣである。
【００１９】
図３で図示したように、次のデータ伝送について利用できるスロットが不十分であるという決定によってＡＴ１６はＥＮＡＢＬＥ状態４４からＤＩＳＡＢＬＥ状態４６へ移行する。ＤＩＳＡＢＬＥ状態４６では、ＡＴ１６はＡＮ１２からのデータ伝送の要求を停止する。十分なスロットが次のデータ伝送に利用可能であるという決定によって、ＡＴ１６はＤＩＳＡＢＬＥ状態４６からＥＮＡＢＬＥ状態４４へ移行する。ＥＮＡＢＬＥ状態４４では、ＡＴ１６は有効なデータ率及びセクタを有するＤＲＣをＡＮ１２に送信し、ＡＮ１２から受信されたデータ伝送を処理する。
【００２０】
図４に図示された一実施例では、ＤＲＣは多数のスロットに亘って供給される。それらのスロットはＡ、Ｂ、Ｃ及びＤに分類され、時間ｔ０、ｔ１、ｔ２、ｔ３でそれぞれ始まる。ＤＲＣ値は多数のスロットを使用でき、繰返し符号化技術を組込むことができる。ＡＴ１６はＲＬ上の特定のスロット内でＤＲＣ情報を送信する。ＤＲＣ値はＡＴ１６によって決定され、連続的に生成される。
【００２１】
ＡＮ１２はＤＲＣ情報を受信し、所定の転換時間後に指定されたデータ率で、且つ指定されたセクタにおいてデータを送信する準備をする。図５で図示したように、ＤＲＣ窓は転換時間後の時間ｔ５で始まる。一実施例では、転換時間は半分の時間スロットである。ＤＲＣ（ｉ）によって指定されたデータ伝送はＤＲＣ（ｉ）窓内の或る時間、即ちｔ５からｔ８で始まる。
【００２２】
図６は次のデータ伝送を処理するためには不十分な利用可能な時間スロットを有する第一のシナリオを図示する。停止の間に送信されたあらゆるデータ・パッケージの見逃しを回避するために、ＡＴ１６は次の停止が予定されるときを決定する。所定のデータ伝送を処理するにはｔ８からｔ１０まで時間スロットを必要とする。しかしながら、ＡＴ１６は時間ｔ１０の前のｔSWITCHの印のついた時間に予定された停止を有する。次のデータ伝送の受信に利用可能な時間スロットが不十分であるので、ＡＴ１６はいかなるデータも間近にくる停止の間に送信すべきでないという指示をＡＮ１２に提供する。一実施例では、その指示はＤＲＣについてゼロ・カバーを供給することである。実際、ゼロ・カバーはセクタを指定しないでデータ率の要求を行う。ＡＮ１２はゼロ・カバーを受信し、データを提供するには情報が不十分であるので、データはその期間の間は送信されない。別の実施例では、その指示はゼロ率の要求である。さらに、ＡＮ１２はデータを提供するためには情報が不十分であり、従って、この期間は送信を無しで済ませる。
【００２３】
図７は第二のシナリオを図示し、ここではＤＲＧ（ｉ）で指定されたデータ伝送がＡＴ１６によって受信されるには十分な時間スロットを持たない。データ伝送はｔSWITCH後の時間ｔ１０で完了する。ＡＴ１６はチャネルの関数としてデータ率を決定することによってメッセージを生成し続ける。次の計算はＤＲＣ（ｉ）のデータ率より高いデータ率を有するＤＲＣ（ｉ＋１）をもたらす。この新しい計算されたデータ率によれば、ＤＲＣ（ｉ＋１）によって指定されたデータ伝送はＡＴ１６によって受信されるのに十分な時間スロット、即ちｔ１２からｔ１３までの時間スロットを有する。この場合、ＡＴ１６はゼロ・データ率またはゼロ・カバーによってＤＲＣ（ｉ）を送信し、ＡＮ１２からのいかなるデータ伝送もＤＲＣ（ｉ）窓、即ちｔ５からｔ８までの間は始まらない。しかしながら、ＡＴ１６は有効なデータ率及び有効なセクタによってＤＲＣ（ｉ＋１）を送信する。それに対して、ＡＮ１２はＤＲＣ（ｉ＋１）によって指定されたようなデータを送信する。この場合、利用可能なデータ率を増加させ、且つＡＴ１６がデータ伝送を受信するために必要な伝送時間を低減するように十分にチャンネル条件は変化する。
【００２４】
ＡＴ１６はデータ伝送の受信のためのデータ率を連続的に決定する。そのデータ率でデータ伝送を処理するために必要な時間が決定され、次の停止の前に利用可能な時間と比較される。データ伝送を受信するために利用可能な時間があれば、データ率は対応するＤＲＣ値に変換される。図８は一実施例に従って停止を予想してＤＲＣ情報を生成するための処理５０を図示する。ステップ５２で、ＡＴ１６は所定のデータ伝送を受信するためのデータ率を計算する。そのデータ率に基づいて、ＡＴ１６はステップ５２の計算データ率で伝送を受信するために必要な時間スロット数Ｎを計算する。ＡＴ１６はまたステップ５４における次の停止の前の時間スロット数Ｍを計算する。Ｎ及びＭの比較は決定ダイヤモンド５６で行われる。ＮがＭより小さいか等しければ、即ち、十分な時間スロットが次の伝送に利用可能であれば、処理は計算データ率に対応するＤＲＣ値を決定するためにステップ６０に続く。ＤＲＣ値はステップ６２でデータ率及びセクタを識別して送信される。処理は停止を処理するためにステップ６６に続く。決定ダイヤモンド５８で利用可能な時間スロットが不十分であれば、処理はゼロ・データ率またはゼロ・カバーを持つＤＲＣ値を送信するためにステップ６４に続く。決定ダイヤモンド６８で、ＡＴ１６はデータ伝送を続けるか、或いはＨＤＲ処理を終らせるかを決定する。例えば、ＡＴ１６は音声呼出を受信し、呼出の完了までにデータ伝送を終らせる。データ伝送が続くようであれば、処理は次のデータ率を決定するためにステップ５２に戻る。いかなるページも受信されなければ、ＨＤＲ処理は続く。
【００２５】
図８の方法はデータ通信が可能である無線通信システムにおいて適用可能であり、ここでは接続端末は最初にデータ・サービス停止を決定し、そして停止の間はデータ伝送を禁止するようデータ停止指示信号を送信する。実際、接続端末は停止の前に完了しないどのようなデータ伝送も要求しない。接続端末は接続網にＤＲＣ要求を提供し続け、ここでは時間がデータ伝送の受信に利用可能でなければ、対応するＤＲＣはゼロ・データ率またはゼロ・カバーを指定する。それに対して、接続網は停止の前に完了しない接続端末にデータを送信しない。
【００２６】
このように、新規で、且つ改良されたデータ率制御が述べられてきた。当業者は前述の記述の至る所で引用されるデータ、指示、命令、情報、信号、ビット、シンボル、及びチップは電圧、電流、電磁波、磁場または粒子、光学場または粒子、またはそのあらゆる組合せによって表されると有利であることを理解するであろう。当業者はここに開示された実施例に関連して記述された様々な図示的論理ブロック、モジュール、回路、及びアルゴリズムが電子ハードウェア、コンピュータ・ソフトウェア、または双方の組合せとして実施されることをさらに理解するであろう。実例となる様々なコンポーネント、ブロック、モジュール、サーキット、及び、ステップは、一般にそれらの機能性に関して述べられた。その機能性がハードウェアまたはソフトウェアとして実施されるかどうかは特定の応用、及び全体システムに課せられた設計の制約に依存する。当業者はこれらの状況のもとでのハードウェア及びソフトウェアの互換性、及び各々特定の応用について記述された機能性を如何によく実施するかを理解する。例として、ここに開示された実施例に関連して記述された様々な図式的論理ブロック、モジュール、回路、及びアルゴリズムはディジタル・シグナル・プロセッサ（ＤＳＰ）、特定用途向け集積回路（ＡＳＩＣ）、フィールド・プログラマブル・ゲートアレイ（ＦＰＧＡ）または他のプログラマブル論理デバイス、個別ゲートまたはトランジスタ論理回路、例えばレジスタ及びＦＩＦＯといった個別ハードウェア部品、ファームウェア命令集合を実行するプロセッサ、一般的なプログラマブル・ソフトウェア・モジュール及びプロセッサ、またはここに記述された機能を実行するために設計されたそれらの組合せで実施または実行される。プロセッサはマイクロプロセッサであると有利であるが、これに代るもので、プロセッサはあらゆる従来のプロセッサ、コントローラ、マイクロコントローラ、プログラマブル論理デバイス、論理素子アレイ、または状態機械であってもよい。ソフトウェアモジュールはＲＡＭメモリ、フラッシュ・メモリ、ＲＯＭメモリ、ＥＰＲＯＭメモリ、ＥＥＰＲＯＭメモリ、レジスタ、ハードディスク、交換可能（リムーバブル）ディスク、ＣＤ−ＲＯＭ、または当技術分野で既知の他の形の媒体でもよい。典型的なプロセッサは記憶媒体から情報を読取り、記憶媒体に情報を書込むように記憶媒体に接続すると有利である。これに代るものでは、記憶媒体はプロセッサに不可欠である。プロセッサ及び記憶媒体はＡＳＩＣに設けてもよい。ＡＳＩＣは電話または他のユーザー端末の中に設けてもよい。これに代るものにおいて、プロセッサ及び記憶媒体は電話または他のユーザー端末の中に設けてもよい。プロセッサはＤＳＰとマイクロプロセッサとの組合せ、またはＤＳＰコア等と関連する二つのマイクロプロセッサとして実施してもよい。
【００２７】
好ましい本発明の実施例はこのように示され、記述されてきた。しかしながら、本発明の精神または範囲から逸脱することなく、多くの変更がここに開示された実施例になし得ることは普通の当業者には明白である。従って、本発明は請求項を除いては限定されるべきではない。
【図面の簡単な説明】
【００２８】
【図１】一実施例によって構成された通信システムである。
【図２】一実施例による図１の如き通信システムにおける接続網の動作の状態図である。
【図３】一実施例による図１の如き通信システムにおける接続端末の動作の状態図である。
【００２９】
【図４】一実施例による図１の如き通信システムにおけるデータ率制御タイミングのタイミング図である。
【図５】一実施例による図１の如き通信システムにおけるデータ率制御の生成と対応するデータ伝送のタイミング図である。
【図６】一実施例による図１の如き通信システムにおけるデータ率制御の生成と対応するデータ伝送の別のタイミング図である。
【００３０】
【図７】一実施例による図１の如き通信システムにおけるデータ率制御の生成と対応するデータ伝送の別のタイミング図である。
【図８】一実施例による図１の如き通信システムに関するデータ率制御の流れ図である。
【符号の説明】
【００３１】
１０…通信システム  １２…接続網  １６…接続端末
【図１】
2004532542.tif 000003
【図２】
2004532542.tif 000004
【図３】
2004532542.tif 000005
【図４】
2004532542.tif 000006
【図５】
2004532542.tif 000007
【図６】
2004532542.tif 000008
【図７】
2004532542.tif 000009
【図８】
2004532542.tif 000010
【国際公開パンフレット】
2004532542.tif 000011
2004532542.tif 000012
2004532542.tif 000013
2004532542.tif 000014
2004532542.tif 000015
2004532542.tif 000016
2004532542.tif 000017
2004532542.tif 000018
2004532542.tif 000019
2004532542.tif 000020
2004532542.tif 000021
2004532542.tif 000022
2004532542.tif 000023
2004532542.tif 000024
2004532542.tif 000025
2004532542.tif 000026
2004532542.tif 000027
2004532542.tif 000028
2004532542.tif 000029
2004532542.tif 000030
2004532542.tif 000031
2004532542.tif 000032
2004532542.tif 000033
【国際公開パンフレット（コレクトバージョン）】
2004532542.tif 000034
2004532542.tif 000035
【国際調査報告】
2004532542.tif 000036
2004532542.tif 000037
2004532542.tif 000038